(57)【要約】【課題】画面上での波形確認や波形比較がし易い心電波形表示方法及び装置を提供すること。【解決手段】収集された心電波形から複数区間の心電波形（候補１〜４）を抽出し、抽出した複数区間の心電波形を１画面中に表示し、１画面中で複数区間の心電波形をスクロールバーＳ１の操作に応じて一括して時間方向に等しく移動させたことにより、画面上での波形確認や波形比較がし易い心電波形表示を実現できる。【選択図】図１９Ａ
2018089005.tif 000002
【特許請求の範囲】
【請求項１】
収集された心電波形から複数区間の心電波形を抽出する心電波形抽出ステップと、
前記心電波形抽出ステップで抽出した複数区間の心電波形を１画面中に表示する表示ステップと、
を含み、
前記心電波形抽出ステップは、前記複数区間の心電波形の抽出位置を、ユーザ操作に応じた量だけ、時間方向に等しくシフトする、
心電波形表示方法。
【請求項２】
前記複数区間の隣り合う区間の先頭は、前記収集された心電波形の時間長を区間数で除した時間だけ離れている、
請求項１に記載の心電波形表示方法。
【請求項３】
前記心電波形抽出ステップでは、前記複数区間として、それぞれ不整脈波形を含む区間を抽出する、
請求項１に記載の心電波形表示方法。
【請求項４】
収集された心電波形から複数区間の心電波形を抽出する心電波形抽出部と、
前記心電波形抽出部によって抽出された複数区間の心電波形を１画面中に表示する表示部と、
を有し、
前記心電波形抽出部は、前記複数区間の心電波形の抽出位置を、ユーザ操作に応じた量だけ時間方向に等しくシフトする、
心電波形表示装置。
【請求項５】
前記心電波形抽出部は、前記複数区間の隣り合う区間の先頭が、前記収集された心電波形の時間長を区間数で除した時間だけ離れるように、前記複数区間の心電波形を抽出する、
請求項４に記載の心電波形表示装置。
【請求項６】
前記心電波形抽出部は、前記複数区間として、それぞれ不整脈波形を含む区間を抽出する、
請求項４に記載の心電波形表示装置。
【発明の詳細な説明】
【技術分野】
【０００１】
本発明は、心電波形表示方法及び心電波形表示装置に関する。
【背景技術】
【０００２】
従来、心臓疾患の診断指標として、心電図が広く用いられている。心電図は、心臓の電気的な活動を体表面で検出し、それを心電波形として表したものである。この心電波形（心電図）を解析することで、心臓の活動に関する様々な情報を得ることができる。
【０００３】
近年では、心電図をデータ化して記録するデジタル心電計の開発により、コンピュータを用いて心電図を自動解析することが可能となっている（例えば特許文献１参照）。
【０００４】
このような心電図の自動解析が可能な心電図解析装置においては、先ず被検者に電極を装着し、次いで心電図解析装置が心電波形を収集し、次いで心電図解析装置が収集した心電波形を自動解析するようになっている。
【０００５】
なお、本明細書では、解析候補の心電波形を一時的に保存することを「収集」と言い、解析した心電波形や解析結果を記録することを「収録」と呼ぶ。
【先行技術文献】
【特許文献】
【０００６】
【特許文献１】特開２００６−１１６２０７号公報
【発明の概要】
【発明が解決しようとする課題】
【０００７】
ところで、心電計における心電波形の収集時間は、例えば３０秒〜１０分（１秒刻み）で設定可能となっている。ここで、１画面内に全ての心電波形が収まらないような長時間の心電波形を画面にて目視する場合には、画面のスクロールや、画面の切り替えが行われる。
【０００８】
しかしながら、１０分のように長時間に亘って収集された心電波形を確認しようとすると、画面のスクロールや、画面の切り替えを行ったとしても、かなりの時間がかかってしまう。また、例えば、収集の開始付近の心電波形と、収集の終了付近の心電波形といったように、離れた時間の心電波形は、画面スクロールや画面切り替えを行ってしまうと、同一画面には表示されないので、これらを比較しようとする場合には不都合である。例えば、ストレステストなどのように長時間の心電波形を収集する場合などに、このような不都合が生じ得る。
【０００９】
本発明は、以上の点を考慮してなされたものであり、画面上での波形確認や波形比較がし易い、心電波形表示方法及び心電波形表示装置を提供する。
【課題を解決するための手段】
【００１０】
本発明の心電波形表示方法の一つの態様は、
収集された心電波形から複数区間の心電波形を抽出する心電波形抽出ステップと、
前記心電波形抽出ステップで抽出した複数区間の心電波形を１画面中に表示する表示ステップと、
を含み、
前記心電波形抽出ステップは、前記複数区間の心電波形の抽出位置を、ユーザ操作に応じた量だけ、時間方向に等しくシフトする。
【００１１】
本発明の心電波形表示装置の一つの態様は、
収集された心電波形から複数区間の心電波形を抽出する心電波形抽出部と、
前記心電波形抽出部によって抽出された複数区間の心電波形を１画面中に表示する表示部と、
を有し、
前記心電波形抽出部は、前記複数区間の心電波形の抽出位置を、ユーザ操作に応じた量だけ時間方向に等しくシフトする。
【発明の効果】
【００１２】
本発明によれば、１画面中で複数区間の心電波形をユーザ操作に応じて一括して時間方向に等しく移動させたことにより、画面上での波形確認や波形比較がし易い心電波形表示を実現できる。
【図面の簡単な説明】
【００１３】
【図１】実施の形態の心電計の外観構成を示す斜視図
【図２】心電計の要部構成を示すブロック図
【図３】１２誘導検査の初期画面を示す図
【図４】心電波形の収集時の画面を示す図
【図５】候補一覧画面を示す図
【図６】解析結果画面を示す図
【図７】画面切り替えを行うためのウィンドウがポップアップ表示された画面を示す図
【図８】記録波形画面を示す図
【図９Ａ】各候補内に６チャネル×２の１２誘導心電図と１チャネルのリズム波形が表示された候補一覧画面を示す図
【図９Ｂ】各候補領域内に６チャネル×２の１２誘導心電図が表示された候補一覧画面を示す図
【図９Ｃ】各候補領域内に６チャネルの１２誘導心電図と１チャネルのリズム波形が表示された候補一覧画面を示す図
【図９Ｄ】各候補領域内に１２チャネルの１２誘導心電図が表示された候補一覧画面を示す図
【図１０】ノイズ区間を除外した候補区間を抽出する方法の説明に供する図
【図１１】不整脈波形が含まれる候補区間を抽出する方法の説明に供する図
【図１２】波形データ不足や候補区間の重複があった場合に、候補区間をシフトさせる例を示す図
【図１３】不整脈が生じている箇所が抽出しようとする候補区間の数よりも少ない場合の候補区間の抽出方法の説明に供する図
【図１４】抽出しようとする候補区間に対して収集波形データが不足している場合における候補区間の抽出方法の説明に供する図
【図１５】抽出しようとする候補区間に対して収集波形データが不足している場合における候補区間の抽出方法の説明に供する図
【図１６】解析結果を表示する簡易ウィンドウが表示された画面を示す図
【図１７】解析結果を表示する簡易ウィンドウが表示された画面を示す図
【図１８】心電波形を一括移動させる場合の各区間の心電波形の抽出位置の例を示す図
【図１９Ａ】心電波形の一括移動の説明に供する図
【図１９Ｂ】心電波形の一括移動の説明に供する図
【図１９Ｃ】心電波形の一括移動の説明に供する図
【図１９Ｄ】心電波形の一括移動の説明に供する図
【発明を実施するための形態】
【００１４】
以下、本発明の実施の形態を、図面を参照して説明する。
【００１５】
＜１＞全体構成
図１は、本実施の形態の心電計の外観構成を示す斜視図である。心電計１００は、本体部１１０と、表示部１２０と、から構成されている。本体部１１０には、入力キー１０４やプリンタ部１０５が設けられている。表示部１２０にはタッチパネル１２１が設けられている。
【００１６】
本実施の形態の場合、タッチパネル１２１のサイズは、１５インチとなっている。１５インチのサイズは、概ねＡ４の用紙サイズに相当する。これにより、本実施の形態の心電計１００では、Ａ４サイズの用紙に記録したのと同様のレイアウト及び大きさの心電波形を、タッチパネル１２１上で見ることができるようになる。
【００１７】
図２は、心電計１００の要部構成を示すブロック図である。本体部１１０は、演算部１０１、測定部１０２、記憶部１０３、入力キー１０４、プリンタ部１０５及び表示／印刷制御部１０６を有する。
【００１８】
演算部１０１は、ＣＰＵ（Central Processing Unit）などにより構成されており、心電図データ処理プログラムを実行することにより、心電波形の形成、及び、心電波形の解析などを行う。また、演算部１０１は、心電図データ処理プログラムの実行開始、実行停止及び実行条件（閾値など）設定、測定部１０２などの各種計測機器制御、タッチパネル１２１やプリンタ部１０５などの各種周辺機器制御を、入力コマンドに従って行う。
【００１９】
測定部１０２は、被検者（つまり、心電図計測の対象者）に装着される電極部に接続されており、電極部から入力される測定電圧に対して増幅処理などを施し、処理後の測定電圧を演算部１０１に出力する。因みに、測定部１０２には、通常、四肢用電極部及び胸部用電極部が接続されており、１２誘導心電図を得るために必要な電圧が入力される。
【００２０】
記憶部１０３は、ハードディスクドライブや半導体メモリなどにより構成される。記憶部１０３は、演算部１０１により得られた心電波形のデータ及びその解析データを記憶する。また、記憶部１０３は、測定部１０２から出力される測定データも記憶しておく。
【００２１】
さらに、記憶部１０３には、タッチパネル１２１又は入力キー１０４からユーザによって入力された、心電計１００の設定データも記憶される。心電計１００は、記憶部１０３に記憶された設定データに基づいて動作する。
【００２２】
タッチパネル１２１には、メニュー画面や各種の設定画面が表示され、ユーザは、タッチパネル１２１をタッチ操作することで、メニューの選択や各種の設定を行うことができる。また、タッチパネル１２１には、演算部１０１により得られた心電波形及び解析結果などが表示される。
【００２３】
プリンタ部１０５は、レーザ式やサーマルヘッド式などのプリンタであり、演算部１０１により得られた心電波形及び解析結果などを、ユーザによる指示に従って印刷する。
【００２４】
表示／印刷制御部１０６は、タッチパネル１２１の画面に表示する、及び、プリンタ部１０５で記録用紙に印刷する、心電波形のレイアウトなどを制御する。本実施の形態における心電波形及び解析結果の表示制御は、主に、表示／印刷制御部１０６によって行われる。
【００２５】
＜２＞検査の流れと、検査時の画面表示
次に、本実施の形態の心電計１００を用いた場合の心電図解析検査と、心電計１００における画面表示について説明する。なお、本実施の形態では、心電図解析検査として、標準１２誘導検査を行う場合について説明するが、本発明は標準１２誘導検査以外の心電図解析検査に用いることもできる。
【００２６】
心電図解析検査が開始されると、先ず、タッチパネル１２１には図３に示すような１２誘導検査の初期画面が表示される。この状態で被検者に電極が装着されると、心電波形の収集が開始され、タッチパネル１２１には図４に示すような心電波形が表示される。ここで、心電波形の収集時間は、例えば３０秒〜１０分（１秒刻み）で設定可能となっている。この収集時間が収集完了までの待ち時間となり、収集時間を長く設定すれば、多くの心電波形データを収集できるので検査精度の向上を期待できる一方で、待ち時間も長くなるので、ユーザはこれらを加味しつつ収集時間を設定することになる。
【００２７】
本実施の形態の心電計１００は、波形の収集が完了すると、自動的に候補波形の抽出を行い、その波形に対して解析を行うとともに候補波形を表示する。具体的には、収集された波形は記憶部１０３に記憶されているので、演算部１０１がその収集波形の中から解析を行うのに適した複数の候補区間の波形を抽出し、抽出した複数の候補区間の波形を解析する。また、抽出された複数の候補区間の波形はタッチパネル１２１に表示される。
【００２８】
本実施の形態において、候補区間とは解析単位区間のことを意味する。本実施の形態では、この解析単位区間を単位としてユーザが種々の選択を行うことができるようになっているので、候補区間と呼んでいる。なお、この演算部１０１による複数の候補区間の波形抽出処理については、後で詳しく説明する。
【００２９】
図５は、タッチパネル１２１に表示される候補一覧画面の例を示す。図５の例では、波形表示領域を４分割して、第１〜第４候補の４つの候補区間が表示されている。具体的には、第１候補は左上に、第２候補は右上に、第３候補は左下に、第４候補は右下に表示されている。
【００３０】
本実施の形態では、１画面中に複数の候補区間の心電波形を表示するようにしたので、ユーザは、複数の候補区間を１画面内で比較して、複数の候補区間の中から収録すべき区間の心電波形を容易に選択できるようになる。
【００３１】
本実施の形態では、第１候補から第４候補への候補区間波形の並び順は、解析所見において重症度が高い順とされている。これにより、ユーザは重症度が高い波形から順に見ることができるようになる。因みに、重症度が同程度の場合には、時系列で早いもの順に並べる。ただし、並び順はこれに限らず、例えば重症度に拘わらず時系列で早いもの順に並べてもよい。
【００３２】
この候補一覧画面においては、候補区間波形の１つが選択枠Ｗ１で囲まれている。選択枠Ｗ１の表示位置は、ユーザが第１〜第４候補の候補区間波形が表示されている表示領域のいずれか１つの表示領域を指でタッチすることにより選択できる。図５の例では、第１候補の波形表示領域が選択枠Ｗ１で囲まれているが、例えば第２候補の波形表示領域がタッチされると、第２候補の波形表示領域が選択枠Ｗ１で囲まれる。
【００３３】
なお、実施の形態における説明では、表示画面上での選択を行う場合に、指でのタッチによって選択することとするが、勿論、タッチに代えてタッチ位置にポインタを移動してマウスをクリックしても同様の選択を行うことができる。
【００３４】
図５の候補一覧画面において、ユーザが解析結果ボタンＢ１をタッチすると、選択枠Ｗ１で囲まれた波形の解析結果画面が表示される。図６は、遷移先の解析結果画面の例を示す。解析結果画面には、所見Ａ１、所見解説Ａ２、計測値Ａ３などが含まれる。図６の解析結果画面において、ユーザが「候補波形へ」のボタンＢ２をタッチすると、タッチパネルには図５の候補一覧画面が再び表示される。これにより、ユーザは図５の画面において候補波形の選び直しができる。
【００３５】
ユーザが図６の解析結果画面において「画面」のボタンＢ３をタッチすると、図７に示すように、画面切り替えを行うためのウィンドウＷ２がポップアップ表示された画面が表示される。さらに、ユーザがウィンドウＷ２の「記録波形」のボタンＢ４をタッチすると、図８に示したように、記録波形画面が表示される。この記録波形画面は、図５の選択枠Ｗ１で囲まれた波形を元の収録サイズに戻した波形を表示する画面である。
【００３６】
また、図６の解析結果画面において「保存」のボタンＢ５がタッチされると、心電計１００は、現在選択されている候補区間の解析結果及び波形データを記憶部１０３に保存する処理に移る。また、「サーマル」のボタンＢ６がタッチされると、心電計１００は、現在選択されている候補区間の解析結果をプリンタ部１０５によって印刷する処理に移る。
【００３７】
現在の検査を終了したい場合には、ユーザが例えば図６の解析結果画面における「検査へ」のボタンＢ７をタッチ、あるいは、図５の候補一覧画面における「戻る」のボタンＢ８をタッチすればよい。このような操作を行うと、タッチパネルには図３に示した初期画面が表示される。
【００３８】
＜３＞候補一覧画面の表示形式変更
本実施の形態では、候補一覧画面における心電波形の表示形式を変更できるようになっている。具体的には、ユーザが図５に示した候補一覧画面の「画面選択」のボタンＢ１０をタッチする回数に応じて、候補一覧画面が図９Ａ−図９Ｄに示すように順に変更される。
【００３９】
図９Ａの候補一覧画面では、各候補領域（つまり選択枠Ｗ１で囲まれ得る１つの領域）内に６チャネル×２の１２誘導心電図と１チャネルのリズム波形が表示されている。より詳細には、図９Ａの候補一覧画面では、各候補領域において、コンティニュアス方式又はコヒーレント方式で心電波形が表示される。コンティニュアス方式又はコヒーレント方式の心電波形では、１２誘導心電波形のうち、四肢誘導波形Ｉ、II、III、ａＶＲ、ａＶＬ、ａＶＦが左側に配置され、胸部誘導波形Ｖ１、Ｖ２、Ｖ３、Ｖ４、Ｖ５、Ｖ６が右側に配置される。コンティニュアス方式では、１０秒間の心電波形のうち、前半の０〜５秒の四肢誘導波形を左側に表示し、続く後半の５〜１０秒の胸部誘導波形を右側に表示するようになっている。一方、コヒーレント方式では、１０秒間の波形のうち、前半の０〜５秒の四肢誘導波形を左側に表示し、前半の０〜５秒の胸部誘導波形を右側に表示するようになっている。このコンティニュアス方式及びコヒーレント方式は、限られた大きさの１画面の中に、できるだけ波形の振幅を縮めずに、ユーザが診断し易いよう、１２誘導波形を一括して表示可能に心電波形を配置したものであり、従来から広く用いられている表示方式である。
【００４０】
図９Ｂの候補一覧画面では、各候補領域内に６チャネル×２の１２誘導心電図がコンティニュアス方式又はコヒーレント方式で表示されている。図９Ａとの違いは、リズム波形が表示されていない点である。
【００４１】
図９Ｃの候補一覧画面では、各候補領域内に６チャネルの１２誘導心電図と１チャネルのリズム波形が表示されている。より詳細には、図９Ｃの候補一覧画面では、各候補領域において、１２誘導心電波形のうち、四肢誘導波形Ｉ、II、III、ａＶＲ、ａＶＬ、ａＶＦを、コンティニュアス方式（又はコヒーレント方式）で削減した一部の区間の波形を削減せずに、つまり、所定期間内（例えば１０秒間）の全波形を表示するようになっている。
【００４２】
図９Ｄの候補一覧画面では、各候補領域内に１２チャネルの１２誘導心電図が表示されている。より詳細には、図９Ｄの候補一覧画面では、各候補領域において、１２誘導心電波形のうち、四肢誘導波形Ｉ、II、III、ａＶＲ、ａＶＬ、ａＶＦ及び胸部誘導波形Ｖ１、Ｖ２、Ｖ３、Ｖ４、Ｖ５、Ｖ６を感度（波形振幅）方向を縮小して全て縦に並べて、コンティニュアス方式（又はコヒーレント方式）で削減した一部の区間の波形を削減せずに、つまり、所定期間内（例えば１０秒間）の全波形を表示するようになっている。
【００４３】
＜４＞収集波形からの候補区間の抽出
次に、記憶部１０３に一時的に保存された収集波形から、候補区間の波形を抽出する本実施の形態の抽出方法について説明する。ここでは、収集時間が６０秒であり、１つの候補区間が１０秒であり、４つの候補区間を抽出する例について説明する。なお、上述したように収集時間は例えば３０秒〜１０分（１秒刻み）で設定可能であり、候補区間の区間長も例えば８〜２４秒で設定可能であり、一覧表示及び解析を行う候補区間の数も４に限らない。
【００４４】
本実施の形態では、抽出の方法として、ノイズ区間を除外して抽出する方法と、不整脈波形を含めて抽出する方法を提示する。ここで、演算部１０１は、収集された心電波形から複数の候補区間の心電波形を抽出する候補波形抽出部として機能する。
【００４５】
＜４−１＞ノイズ区間を除外して抽出する方法
図１０は、候補区間の心電波形を、ノイズ区間を除外して抽出する方法の説明に供する図である。図の最上段の波形は記憶部１０３に一時的に保存されている６０秒間の収集波形を示す。２段目は収集波形を先頭から１０秒毎に区切って４つの候補区間を形成した様子を示す図であり、３段目は本実施の形態によるノイズ区間を除外して候補区間を抽出した様子を示す図である。
【００４６】
２段目に示したように先頭から１０秒毎に区切って４つの候補区間を形成した例では、２番目、３番目、４番目の候補区間にはノイズが含まれている。この結果、２番目、３番目、４番目の候補区間の心電波形を解析すると、その解析結果はノイズによる影響を大きく受けるので、心電波形が正しく反映された解析結果を得ることができなくなる。
【００４７】
そこで、本実施の形態では、ノイズ区間を除外して候補区間を抽出することで、全ての候補区間について、ノイズの影響が小さく、心電波形が正しく反映された解析結果を得ることができるようになっている。具体的には、演算部１０１が記憶部１０３に保存されている収集波形の中で、想定される心電波形に対して極端な高周波波形が現れている区間（例えば交流、筋電、ドリフトが発生している区間）、或いは、極端な低周波波形が現れている区間（例えば電極外れや接触不良によるノイズが発生している区間）をノイズ区間として検出し、このノイズ区間を除外して候補区間の心電波形を抽出する。なお、ノイズ検出方法はこれに限らず、要は想定される人の心電波形とは異なる波形をノイズとして検出すればよい。
【００４８】
図１０の例では、演算部１０１によって、網掛けで示した候補１〜４の４つの候補区間の心電波形が、候補一覧画面（図５）に表示される心電波形として、及び、解析対象の心電波形として、抽出される。
【００４９】
＜４−２＞不整脈波形を含めて抽出する方法
図１１は、不整脈波形が含まれる候補区間を抽出する方法の説明に供する図である。図１１に示すように、演算部１０１は不整脈が発生している位置を検出し、その位置を中心にして、網掛けで示した候補１〜４の４つの候補区間の心電波形を、候補一覧画面（図５）に表示される心電波形として、及び、解析対象の心電波形として、抽出する。このように、不整脈波形が含まれる候補区間を表示及び解析する候補区間として抽出することにより、心電図検査に適した表示及び解析を行うことができるようになる。
【００５０】
ここで、不整脈波形は候補区間の中心に配置されることが好ましい。何故なら、不整脈波形の前後の波形があると、不整脈波形の前後の波形を見ながら、不整脈が突然発生したのか、或いは、予兆があったのかも確認することができるためである。
【００５１】
なお、図１２に示すように、不整脈位置を中心に候補区間を抽出しようとした際に、波形データが足りない場合（候補１と候補４）は候補区間の位置を波形データが存在する方向にシフトさせ、候補区間が重なる場合（候補２と候補３）にはいずれかの候補区間の位置を重ならない方向にシフトさせた抽出を行うようにすればよい。
【００５２】
また、図１３に示すように、不整脈が生じている箇所が抽出しようとする候補区間の数よりも少ない場合には、不整脈を含む候補区間（図の場合は候補２）を中心にして、その時間的に前後に隣接する区間を候補区間（図の場合は候補１と候補３）として抽出してもよい。さらに、このように抽出した候補１〜３の３つのみを表示してもよいが、候補４として、例えば不整脈が生じていない０〜１０秒の区間の心電波形を抽出してこれを加えて表示してもよい。
【００５３】
＜４−３＞収集波形データが不足している場合
抽出しようとする候補区間に対して、収集波形データが不足している場合には、候補区間が重複するように候補区間を抽出してもよい。図１４及び図１５にその例を示す。図１４及び図１５の例では、抽出しようとする候補区間の合計時間が１０秒×４＝４０秒なのに対して、収集波形の長さは３５秒なので、収集波形データが不足している。
【００５４】
そこで、図１４の例では、候補４を候補３と重複するようにして抽出する。図１５の例では、全ての候補１〜４の一部が均等な長さだけ重複するように候補１〜４を抽出する。なお、重複を許容しない場合は、候補１〜３の３つのみを抽出してもよい。
【００５５】
＜４−４＞抽出の優先度
実際上、設定により決められた長さの収集波形から、決められた数の候補区間を抽出するにあたっては、様々な状況が想定される。例えば収集波形の中に不整脈波形が候補区間の数よりも多い場合などが想定される。そこで、ここでは候補区間を抽出する際の優先度について説明する。
【００５６】
本実施の形態では、例えば、（ｉ）ノイズの除外、（ｉｉ）重複禁止、（ｉｉｉ）不整脈を中心にした抽出、の順の優先度で候補区間の抽出を行う。つまり、ノイズがあると正しい解析結果を得ることができないのでノイズ除外を最優先する。また、不整脈を中心に抽出を行った際に重複が生じた場合には、不整脈を中心にした抽出よりも重複禁止を優先する。図１２の例がこれに相当する。
【００５７】
また、収集波形に候補区間の数に、抽出しようとする候補区間の数よりも多くの不整脈が存在した場合には、重症度のより高い不整脈を含む区間から順に抽出するとよい。例えば抽出しようとする候補区間の数が４個なのに対して、収集波形の中に６個の不整脈が含まれ、６個の不整脈が重症度（高）２個、重症度（中）２個、重症度（低）２個からなる場合には、重症度の高い４個、つまり重症度（高）２個、重症度（中）２個の不整脈を含む候補区間を優先的に抽出するとよい。さらに重症度（高）２個の不整脈が同じ種類である場合、重症度以外の優先度によりどちらか１つを候補区間とし、重症度（中）２個、重症度（低）１個を加えた４個の候補区間を抽出してもよい。
【００５８】
勿論、どのパラメータを優先するのが好ましいかは、医療現場等に応じて異なる可能性もあるので、優先度を設定可能とするようにしてもよい。
【００５９】
上述したように、本実施の形態の心電計１００では、図５の候補一覧画面において、ユーザが解析結果ボタンＢ１をタッチすると、選択枠Ｗ１で囲まれた波形の解析結果画面が表示される。
【００６０】
これに加えて、本実施の形態の心電計１００では、心電波形を画面表示した状態で、その心電波形を表示している画面と同一画面に、表示している心電波形に関する解析結果を表示できるようになっている。
【００６１】
図１６及び図１７は、その表示例を示すものである。図１６に示すように、ユーザが第１候補の表示領域を指で長押しすると（つまり所定時間以上タッチし続けると）、第１候補の表示領域が選択枠Ｗ１で囲まれるとともに、簡易ウィンドウＷ１０が表示され、この簡易ウィンドウＷ１０内に第１候補の区間波形に関する解析結果が表示される。簡易ウィンドウＷ１０に表示される解析結果は第１候補の区間波形に関する解析所見である。なお、簡易ウィンドウＷ１０に表示されるのは、計測値や代表波形等のその他の解析結果であってもよい。タッチパネルから指を離すと、簡易ウィンドウＷ１０は閉じられる。
【００６２】
簡易ウィンドウＷ１０に表示される解析結果は重症度順となっている。従って、解析結果の量が多い場合には、重症度の高い上位の解析結果のみが簡易ウィンドウＷ１０内に表示される。なお、簡易ウィンドウＷ１０内にどの解析結果を表示するかを、ユーザが設定できるようにしてもよい。
【００６３】
ここで、簡易ウィンドウＷ１０は半透明であることが好ましい。このようにすることで、選択枠Ｗ１で囲まれた領域内に簡易ウィンドウＷ１０を表示しても、簡易ウィンドウＷ１０の位置の心電波形を透かせて見せることができる。また、簡易ウィンドウＷ１０は、必ずしも選択枠Ｗ１内に表示する必要はない。
【００６４】
また、簡易ウィンドウＷ１０を表示させるための方法は、タッチパネル１２１を長押しする場合に限らず、例えば第１〜第４候補のいずれかの表示領域内にポインタを移動しその位置でマウスのボタンをクリック或いはダブルクリックすることで簡易ウィンドウＷ１０を表示するようにしてもよい。この場合、簡易ウィンドウＷ１０を閉じる操作もマウスによって行うようにすればよい。
【００６５】
実施の形態のように、指によるタッチパネル１２１の長押しによって簡易ウィンドウＷ１０を開き、タッチパネル１２１から指を離すと簡易ウィンドウＷ１０を閉じるようにすると、１アクションでウィンドウの表示及び非表示が可能となるので、複数の候補区間の解析結果を迅速に見ていくことができるといった利点がある。
【００６６】
同様に、図１７に示すように、ユーザが第２候補の表示領域を指で長押しすると、第２候補の表示領域が選択枠Ｗ１で囲まれるとともに、簡易ウィンドウＷ１０が表示され、この簡易ウィンドウＷ１０内に第２候補の区間波形に関する解析結果が表示される。第３候補及び第４候補についても、同様の操作によって簡易ウィンドウＷ１０内に簡易解析結果を表示することができる。
【００６７】
このように、本実施の形態においては、心電波形と同一画面上に、その心電波形に関する解析結果が表示される簡易ウィンドウＷ１０を表示したことにより、画面を切り替えなくても解析結果を確認できるようになる。この結果、少ない手順で検査結果を確認できるとともに、同一画面上で心電波形とその解析結果とを比較できるようになる。
【００６８】
また、複数の候補区間の心電波形を一画面に表示するとともに、各候補区間の心電波形に対する解析結果を複数の候補区間の心電波形が表示された画面と同一画面に選択的に表示できるようにしたことにより、複数の収録波形を一画面に表示した状態で、収録波形同士の比較を行いながら、解析所見の確認も行えるようになるので、より少ない手順で検査結果を確認することができるようになる。
【００６９】
なお、本実施の形態では、同一画面に表示された複数の候補区間の心電波形のうち、ユーザによって選択された１つの候補区間の心電波形に関する解析結果のみを同一画面に表示する場合について述べたが、ユーザによって選択された２つ以上の候補区間の心電波形に関する解析結果を同一画面に表示するようにしてもよい。
【００７０】
＜６＞心電波形の一括移動
上述したように、候補一覧画面に表示される複数の候補区間の心電波形は、演算部１０１によって抽出される。この候補区間の心電波形は、上述したように、演算部１０１によって解析を行うのに適切であると判断された区間の波形である。
【００７１】
本実施の形態では、このような解析を行うのに適切な候補区間を設定するモード以外に、心電波形の波形確認や波形比較を行うのに好適な区間を抽出する波形一括移動モードを有する。心電波形抽出部としての演算部１０１は、ユーザ操作により、波形一括移動モードに設定されると、例えば図１８に示すような候補１〜４を抽出する。図１８の例では、記憶部１０３に１０分の長さの心電波形が収集されており、この心電波形からそれぞれ１０秒の区間長の候補１〜候補４を抽出する。ここで、各候補１〜４の間の間隔は等しくされており、図１８の例では２．５分となっている。つまり、候補１は０秒から１０秒までの心電波形であり、候補２は２分３０秒から２分４０秒までの心電波形であり、候補３は５分から５分１０秒までの心電波形であり、候補４は７分３０秒から７分４０秒までの心電波形である。厳密に言うと、複数区間の隣り合う区間の先頭は、収集された心電波形の時間長（図の例の場合は１０分）を区間数（図の例の場合は４）で除した時間（図の例の場合は２．５分）だけ離れている。
【００７２】
図１９Ａは、図１８の候補１〜４の心電波形をタッチパネル１２１に表示した状態を示す。図１９Ａに示す状態から図１９Ａ→図１９Ｂ→図１９Ｃ→図１９Ｄのように、スクロールバーＳ１を右方向に移動操作すると、第１〜第４候補の心電波形の全てがスクロールバーＳ１の移動量に応じて右方向に移動する。具体的には、演算部１０１又は表示／印刷制御部１０６が第１〜第４候補の心電波形の抽出位置をスクロールバーＳ１の移動に応じて、図１８の矢印で示す方向にシフトさせる。勿論、スクロールバーＳ１が左方向に移動されると、第１〜第４候補の心電波形の全てがスクロールバーＳ１の移動量に応じて左方向に移動する。
【００７３】
このように、本実施の形態では、収集された心電波形から複数区間（候補１〜４）の心電波形を抽出し、抽出した複数区間の心電波形を１画面中に表示し、複数区間の心電波形の抽出位置をユーザ操作に応じた量だけ時間方向に等しくシフトしたことにより、ユーザ操作に応じて、各候補区間の心電波形を一括して時間方向に等しく移動させることができるようになっている。
【００７４】
これにより、各区間の心電波形をそれぞれ単独で移動させる場合と比較して、操作に対する実質的な時間方向への移動量を拡大し得、操作に対してユーザが見ることが可能な心電波形を増加させることができる。例えば、図１９Ａ〜図１９Ｄの例では、４つの心電波形を一括して時間方向に移動させるので、各候補の心電波形をそれぞれ単独で移動させる場合と比較して、操作に対する心電波形の時間方向への移動量を４倍とすることができる。
【００７５】
特に収集時間長が長い場合に効果的である。つまり、収集時間長が長いと、収集した全ての心電波形を目視確認する場合に時間がかかる。このような場合、本実施の形態のように、一画面に複数区間の心電波形を表示し、さらにそれを１つの操作に応じて一括して時間方向に移動させるようにすれば、収集した全ての心電波形を確認するのに要する時間を短くできる。
【００７６】
また、本実施の形態では、例えば１０分のように長時間に亘って収集された心電波形においても、収集の開始付近の心電波形と、収集の終了付近の心電波形といったように、離れた時間の心電波形でも同一画面に表示することができ、これらを比較しながら心電波形を確認できるようになる。この結果、ストレステストのときのように収集された心電波形が長時間に及ぶ場合でも、開始付近と終了付近の心電波形を比較しながら、心電波形を確認できるようになる。
【００７７】
さらに、本実施の形態の処理は、本質的には、抽出した複数区間の心電波形を１画面中に表示するにあたって、複数区間の心電波形の抽出位置を、ユーザ操作に応じた量だけ、時間方向に等しくシフトすることである。このような処理は、実施の形態のような長時間の心電波形の波形確認及び波形比較以外にも有効である。
【００７８】
例えば、収集された複数区間としてそれぞれ同じ種類の不整脈波形を含む区間を抽出し、それらを不整脈の中心が上下に一致するように画面の縦方向に並べて表示すれば、時間的に異なる複数の同じ種類の不整脈波形が縦方向に表示され、それらがユーザ操作に応じて一括して時間方向に等しく移動表示されることになる。これにより、ユーザは画面上で複数の不整脈の変化の様子を比較しながら見ることができるようになる。
【００７９】
このように本実施の形態の心電波形の一括移動処理は、異なる時点の心電波形の時間方向での変化の様子を、互いに比較しながら確認する場合に広く有効である。
【００８０】
＜７＞まとめ
以上説明したように、本実施の形態によれば、収集された心電波形から複数区間の心電波形（候補１〜４）を抽出し、抽出した複数区間の心電波形を１画面中に表示し、複数区間の心電波形の抽出位置をユーザ操作に応じた量だけ時間方向に等しくシフトさせることで、１画面中で複数区間の心電波形をユーザ操作に応じて一括して時間方向に等しく移動させたことにより、画面上での波形確認や波形比較がし易い心電波形表示を実現できる。
【００８１】
なお、上述の実施の形態では、スクロールバーＳ１の操作に応じて複数区間の心電波形の位置をシフトさせる場合について述べたが、これに限らず、例えばユーザがタッチパネル１２１における１つの候補区間の表示領域を指でスワイプすると、そのスワイプした量に応じて各候補区間の心電波形を一括して時間方向にシフトさせてもよい。
【００８２】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００８３】
本発明は、例えば心電図を自動解析する機能を有する心電計に適用し得る。
【符号の説明】
【００８４】
１００  心電計
１０１  演算部
１０２  測定部
１０３  記憶部
１０４  入力キー
１０５  プリンタ部
１０６  表示／印刷制御部
１１０  本体部
１２０  表示部
１２１  タッチパネル
Ａ１  所見
Ａ２  所見解説
Ａ３  計測値
Ｗ１  選択枠
Ｗ１０  簡易ウィンドウ
【図１】
2018089005.tif 000003
【図２】
2018089005.tif 000004
【図３】
2018089005.tif 000005
【図４】
2018089005.tif 000006
【図５】
2018089005.tif 000007
【図６】
2018089005.tif 000008
【図７】
2018089005.tif 000009
【図８】
2018089005.tif 000010
【図９Ａ】
2018089005.tif 000011
【図９Ｂ】
2018089005.tif 000012
【図９Ｃ】
2018089005.tif 000013
【図９Ｄ】
2018089005.tif 000014
【図１０】
2018089005.tif 000015
【図１１】
2018089005.tif 000016
【図１２】
2018089005.tif 000017
【図１３】
2018089005.tif 000018
【図１４】
2018089005.tif 000019
【図１５】
2018089005.tif 000020
【図１６】
2018089005.tif 000021
【図１７】
2018089005.tif 000022
【図１８】
2018089005.tif 000023
【図１９Ａ】
2018089005.tif 000024
【図１９Ｂ】
2018089005.tif 000025
【図１９Ｃ】
2018089005.tif 000026
【図１９Ｄ】
2018089005.tif 000027